(57)【要約】      （修正有）【課題】ユーザの熟練度に関わらず、精度の高い位置決めを行うことができる光学分析装置を提供する。【解決手段】セル３０に収容された液体試料に光を照射して液体試料を分析する光学分析装置であって、セルが設置されるセル設置部５が設けられた分析装置本体と、分析装置本体に対して開閉可能に設けられ、セル設置部を覆うカバーと、カバーの開閉動作に連動して、カバーを閉めるとセルを押圧する押圧機構２２とを具備し、セル設置部が、セルを設置する位置決め面を具備し、押圧機構が、位置決め面に対してセルを押圧することを特徴とする。【選択図】図４
2019144271.tif 000002
【特許請求の範囲】
【請求項１】
セルに収容された油分又は有機溶媒を含む液体試料に光を照射して該液体試料を分析する光学分析装置であって、
前記セルが設置されるセル設置部が設けられた分析装置本体と、
前記分析装置本体に対して開閉可能に設けられ、前記セル設置部を覆うカバーと、
前記セルを押圧する押圧機構とを具備し、
前記セル設置部が、前記セルを位置決めする位置決め面を具備し、
前記カバーを閉めることによって、前記押圧機構が連動して前記位置決め面に対して前記セルを押圧し、セルが位置決めされるように構成されていることを特徴とする光学分析装置。
【請求項２】
前記カバーを開けると、前記カバーから前記押圧機構への作用力が大きくなることで、前記押圧機構が前記セルから離間し、
前記カバーを閉めると、前記カバーから前記押圧機構への作用力が小さくなることで、前記押圧機構が前記位置決め面に対して前記セルを押圧して、セルが位置決めされるように構成されている請求項１に記載の光学分析装置。
【請求項３】
前記セルが筒形状をなし、
前記位置決め面が、前記セルの側周面又は端面とそれぞれ接触するとともに、隣り合う２面をさらに具備し、
前記押圧機構が、前記２面に対して前記セルを押圧することを特徴とする請求項１又は２記載の光学分析装置。
【請求項４】
前記押圧機構が、前記セルと前記カバーとの間に介在する複数の部材から構成されていることを特徴とする請求項１〜３のいずれか１項に記載の光学分析装置。
【請求項５】
前記押圧機構は、前記カバーに設けられた第１部材と、前記分析装置本体に設けられた第２部材とを含み、
前記カバーを閉めることによって、前記第１部材と前記第２部材とが連動して前記位置決め面に対して前記セルを押圧し、セルが位置決めされるように構成されている請求項１〜３のいずれか１項に記載の光学分析装置。
【請求項６】
前記押圧機構が、前記前記分析装置本体に設けられ、前記カバーの開閉動作に連動して前記セルを前記位置決め面に押圧する押圧部材を具備し、
前記カバーを開けると、前記押圧部材が連動して前記セルから離間し、
前記カバーを閉めると、前記押圧部材が連動して前記位置決め面に対して前記セルを押圧して、セルが位置決めされる請求項４に記載の光学分析装置。
【請求項７】
前記押圧機構が、
前記押圧部材を前記セルに押圧する弾性体を更に具備し、
前記カバーを開けると、前記カバーから前記押圧機構への作用力が前記弾性体の付勢力に抗して、前記押圧部材が前記セルから離間し、
前記カバーを閉めると、前記弾性体の付勢力により、前記押圧部材が前記位置決め面に対して前記セルを押圧する、請求項６に記載の光学分析装置。
【請求項８】
前記セルが、前記液体試料が収容される筒状のセル本体を具備し、
前記セル本体と前記押圧機構との間に設けられた緩衝部材を具備し、
前記押圧機構が、前記緩衝部材を介して前記セル本体を押圧することを特徴とする請求項１〜７のいずれか１項に記載の光学分析装置。
【請求項９】
前記セルが、前記突起部の先端に設けられた蓋をさらに具備し、
前記蓋が、前記セル内の気体を抜くための気体抜き穴を具備することを特徴とする請求項１〜８のいずれか１項に記載の光学分析装置。
【発明の詳細な説明】
【技術分野】
【０００１】
本発明は、液体試料に光を照射して液体試料を分析する光学分析装置に関する。
【背景技術】
【０００２】
上述したような分析装置として、液体試料に含まれる所定成分の分子構造が所定の波長領域の光を吸収することを利用して、液体試料に含まれる所定成分を測定する装置がある。
【０００３】
しかしながら、液体試料は気体試料とは異なり、セルの位置が少しでもずれると、セル表面やセル内部で発生する光の反射、散乱、屈折等が変化し、正確な測定結果が得られなくなるので、セルをシビアに位置決めする必要がある。そのため、測定精度がユーザの熟練度によって変化してしまうという問題がある。
【０００４】
例えば特許文献１には、ユーザがセルを所定の場所に設置して扉を閉めるだけでセルが位置決めされる装置が開示されている。しかし、この装置では扉側にセルを設置するセル設置部が設けられているので、長時間にわたり扉が開閉されると、経年劣化によってセルの位置が徐々にずれるおそれがあり、上述した分析装置の精度に耐えうるだけの精度の高い位置決めを行うことはできない。
【先行技術文献】
【特許文献】
【０００５】
【特許文献１】特開２００３−７５４５０
【発明の概要】
【発明が解決しようとする課題】
【０００６】
そこで本発明は、ユーザの熟練度に関わらず、精度の高い位置決めを行うことができる光学分析装置を提供することをその主たる課題とするものである。
【課題を解決するための手段】
【０００７】
本発明の光学分析装置は、セルに収容された液体試料に光を照射して液体試料を分析する光学分析装置であって、前記セルが設置されるセル設置部が設けられた分析装置本体と、前記分析装置本体に対して開閉可能に設けられ、前記セル設置部を覆うカバーと、前記カバーの開閉動作に連動して、前記カバーを閉めると前記セルを押圧する押圧機構とを具備し、前記セル設置部が、前記セルを設置する位置決め面を具備し、前記押圧機構が、前記位置決め面に対して前記セルを押圧することを特徴とする。
【０００８】
このようなものであれば、カバーを開閉するだけで、セルが押圧機構によって位置決め面に固定されるので、ユーザの熟練度によらず位置決めを行うことができるとともに、分析装置本体にセル設置部を設けたので、カバーの開閉動作による経年劣化によってセル設置部に設置したセルがずれることを防いで、精度よくセルを位置決めすることができる。
【０００９】
本発明の光学分析装置の別の具体的な一形態としては、前記位置決め面が、前記セルの側周面又は端面とそれぞれ接触するとともに、隣り合う２面をさらに具備し、前記押圧機構が、前記２面に対して前記セルを押圧するものを挙げることができる。
このようなものであれば、セルの側周面又は端面とそれぞれ接触する隣り合う２面又は２点と押圧機構によって押圧される１点又は１面との合わせて３つ以上の点又は面で固定されるので、セルがずれることなく、確実に位置決めすることができる。
【００１０】
本発明の光学分析装置の別の具体的な一形態としては、前記押圧機構が、前記セルと前記カバーとの間に介在する複数の部材から構成されているものを挙げることができる。
このようなものであれば、押圧機構を複数の部材から構成しているので、セルを押圧する位置の自由度が広がり、所望の位置からセルを押圧することができるので、よりセルの位置ずれが起こり難い位置からセルを押圧することができ、セルの位置ずれを確実に防止することができる。
【００１１】
本発明の光学分析装置の別の具体的な一形態としては、前記セルが、前記液体試料が収容される筒状のセル本体を具備し、前記セル本体と前記押圧機構との間に設けられた緩衝部材を具備し、前記押圧機構が、前記緩衝部材を介して前記セル本体を押圧するものを挙げることができる。
このようなものであれば、押圧機構が緩衝部材を介してセル本体を押圧するので、セル本体自体を押圧機構で押圧する場合と比べて、セル本体に生じるひずみ等によって光の屈折度合いが変化することを防ぐことができ、より精度よく分析を行うことができる。
【００１２】
本発明の光学分析装置の別の具体的な一形態としては、前記セルが、前記突起部の先端に設けられた蓋をさらに具備し、前記蓋が、前記セル内の気体を抜くための気体抜き穴を具備するものを挙げることができる。
分析時にはセルに照射される光源からの光によって液体試料の温度が上昇する。このとき、液体試料に沸点の低い材料が含まれていると、この材料が揮発して気体が発生し、蓋が外れるという問題があったが、本発明の光学分析装置では、蓋に気体抜き穴を設けておくことによって、発生した気体を逃がすことができ、蓋が外れて液体試料が漏れることを防ぐことができる。
【発明の効果】
【００１３】
このように本発明によれば、ユーザの熟練度に関わらず、精度の高い位置決めを行うことができる光学分析装置を提供することができる。
【図面の簡単な説明】
【００１４】
【図１】第１実施形態における光学分析装置を示す斜視図。
【図２】第１実施形態における光学分析装置を示す部分断面図。
【図３】第１実施形態におけるセル設置部を示す斜視図。
【図４】第１実施形態における押圧部材の開閉状態を示す断面図。
【図５】第１実施形態におけるセルを示す斜視図。
【図６】第２実施形態におけるセルの斜視図と光学分析装置を示す断面図。
【図７】第３実施形態における押圧機構を示す斜視図。
【図８】第４実施形態における光学分析装置を示す斜視図。
【図９】第４実施形態における光学分析装置の開閉状態を示す断面図。
【発明を実施するための形態】
【００１５】
以下の本発明の光学分析装置の一実施形態について説明する。
【００１６】
第１実施形態における光学分析装置１は、例えば公共用水域（河川、湖沼、海域等）や住宅・会社・農業用水に含まれる油分濃度、又は、金属部品等の残留油分濃度を測定するために用いられるものであって、非分散形赤外線吸収方式（ＮＤＩＲ）やフーリエ変換型赤外分光方式（ＦＴＩＲ）を用いて測定を行うものである。
【００１７】
この光学分析装置１は、図１に示すように、液体試料が収容されたセル３０が設置されて、液体試料の分析を行う分析装置本体２と、分析装置本体２に対して開閉可能に設けられるカバー３とを具備する。
【００１８】
第１実施形態において液体試料とは炭化水素を含む溶媒に溶けた油分であって、溶媒としては、例えばハイドロフロロフルオロカーボンやクロロフロロカーボン等を用いることができる。
【００１９】
分析装置本体２は、図１及び図２に示すように、赤外波長領域の光を射出する光射出部４と、光射出部４から射出される光の光軸上に液体試料が収容されたセル３０が設置されるセル設置部５と、セル設置部５を通過した光を検出する分析機構６と、これらを収容する筐体７とを具備するものである。
【００２０】
筐体７は、図１に示すように、上面が水平面７ａと傾斜面７ｂとで構成されており、傾斜面７ｂ上に光学分析装置１を作動させるスイッチ群８が設けられるとともに、測定条件や測定結果を表示するための液晶画面９が設けられている。また、水平面７ａにはセル３０を一時的に保管するための凹み１０が設けられている。そして、水平面７ａから傾斜面７ｂを跨いで凹部１１が設けられており、この凹部１１ではセル３０を設置するためのセル設置部５が露出している。
【００２１】
カバー３は、図１に示すように、筐体７に設けられた凹部１１、ひいてはセル設置部５を覆うために設けられたものであって、例えばカバー３を貫く棒状の回転軸の両端を分析装置本体２で固定することによって、分析装置本体２に対して開閉可能となるように設けられている。また、このカバー３には外側から圧力をかけると、バネの力によってカバー３が開くプッシュ方式のものが用いられている。
【００２２】
光射出部４は、赤外波長領域の光を射出するものであって、図２及び図３に示すように、赤外波長領域の光を射出する光源１２と、光源１２を収容する第１収容体１３とを具備する。
【００２３】
光源１２は、赤外波長領域の光（例えば、０．７μｍ〜２５μｍの波長域の光）を射出する例えば白熱電灯やＬＥＤ等であって、この光源１２の周囲は、ボディ１４に覆われている。このボディ１４は、閉塞した一端から開口する他端に向かって開口径が広がる中空の略円錐形状をなし、内周面は光源１２からの光を反射するリフレクターとなる。また、ボディ１４の開口する一端はボディ１４と隙間なく密着してボディ１４内を気密に保つ窓が設けられている。
【００２４】
第１収容体１３は、図２に示すように、その一部に概略筒形状をなす突出部を具備し、この突出部の先端部分に光源１２からの光が射出される円形状の光射出窓１３ａがはめ込まれている。
【００２５】
分析機構６は、図２に示すように、セル３０を透過した光を検出するものであって、セル３０を透過した光を一定周期で断続（チョッピング）するチョッパ１５と、チョッパ１５によってチョッピングされた光のうち、特定波長域の光を透過させるフィルタ１６と、フィルタ１６を透過した光を検出するセンサ１７と、センサ１７が検出した赤外波長領域の光の光強度を用いて、液体試料に含まれる炭化水素の濃度を測定する測定部１８と、上述した順にこれらが収容される第２収容体１９とを具備する。フィルタ１６は、例えば３μｍ〜４μｍの赤外波長領域の光を透過させる分析用フィルタ１６ａ及びゼロ校正用のリファレンスフィルタ１６ｂを具備する。また、センサ１７は、分析用センサ１７ａ及びリファレンス用センサ１７ｂを具備する。なお、分析用フィルタ１６の前に、光量を抑えるフィルタを別途設けておいてもよい。
【００２６】
上述したセンサ１７としては、例えば焦電センサが用いられる。この焦電センサとは、センサに入射する光によって生じる温度変化により、自発分極をもつ誘電体の表面電荷が変化する焦電効果を用いて赤外波長領域の光を検出するものである。
【００２７】
測定部１８は、センサ１７が検出した赤外波長領域の光の光強度を用いて、液体試料に含まれる炭化水素の濃度を測定するものであって、構造的には、ＣＰＵ、内部メモリ、Ｉ／Ｏバッファ回路、ＡＤコンバータ等を有した所謂コンピュータ回路である。
【００２８】
第２収容体１９は、図２に示すように、その一部に概略筒形状をなす突出部を具備し、この突出部の先端部分にセル３０を透過した光が入射する光入射窓１９ａがはめ込まれている。この光入射窓１９ａは、第１収容体１３に設けられた光射出窓１３ａと同じ大きさ及び形状をなすものである。
【００２９】
セル３０は、図５に示すように、第１実施形態では中空の円筒形状をなし液体試料を収容し、光が照射されるセル本体３１と、セル本体３１に設けられた緩衝部材とを具備する。本実施形態において、緩衝部材は、セル本体３１の側周面の略中央部からセル本体３１と連通して突出する筒形状の突起部３１ａで構成されるが、光が照射されるセル本体３１以外の場所であればどの部位でも構わない。この突起部３１ａの中心軸は、セル本体３１の中心軸に対して垂直となるように設けられており、その先端は開口している。セル本体３１は、軸方向の両端面が光を透過する透明部材で構成され、それ以外の部分は光を透過しない黒色部材で構成されている。突起部３１ａも光を透過しない黒色部材で構成されるとともに、その一部に印が設けられている。また、円形状をなす両端面の大きさは、第１収容体１３の光射出窓１３ａ、及び第２収容体１９の光入射窓１９ａと同じとなるように構成されている。
【００３０】
また、セル３０にはセル本体３１から液体試料が漏れないようにするための蓋３２が設けられている。この蓋３２には、セル本体３１内の気体を逃がすための気体抜き穴が設けられており、第１実施形態では、蓋３２が突起部３１ａの開口を覆うように配置されるとともに、内側周面には互いに対向する位置にスリット３３（気体抜き穴）が設けられている。
【００３１】
しかして、セル設置部５は、図３、図４（ａ）（ｂ）示すように、セル３０が配置される設置台２０と、設置台２０上に設けられて、カバー３の開閉動作に連動してセル３０を押圧する押圧機構２２とを具備するものである。
【００３２】
このようなセル３０を設置する設置台２０は、セル３０を設置する位置決め面が設けられたものであって、セル３０を設置する位置決め面としては、セル本体３１の側周面とそれぞれ接触して隣り合う２面である第１傾斜面２１ａ、２１ｂと、突起部３１ａの側周面とそれぞれ接触して隣り合う２面である第２傾斜面３４ａ、３４ｂとが設けられている。
【００３３】
第１傾斜面２１ａ、２１ｂは、設置台２０の上面の略中心部分に互いに対向して形成された断面視略Ｖ字形状をなすものである。この第１傾斜面２１ａ、２１ｂには、第１収容体１３及び第２収容体１９の突出部も配置される。そして、設置台２０上に配置された第１収容体１３と第２収容体１９との間に形成された空間２３にセル３０が設置される。この第２傾斜面３４ａ、３４ｂにセル３０を設置すると、セル３０の中心軸と光射出部４の光軸とが所定の位置関係（第１実施形態では一致）となるようにセル３０が配置される。
【００３４】
第２傾斜面３４ａ、３４ｂは、設置台２０の上面から突出するブロック体２５の先端面に互いに対向して形成されたＶ字形状の切り込みをなすものである。
【００３５】
押圧機構２２は、ブロック体２５と対向するように配置され、セル３０を押圧する押圧部材２４と、押圧部材２４をカバー３の開閉動作と連動させる連動部材２６とを具備する。つまり、押圧機構２２は、セル３０とカバー３との間に介在する複数の部材（押圧部材２４、連動部材２６、転動部材２９）を具備する。
【００３６】
押圧部材２４は、セル３０と当接して、カバー３の開閉に際して加えられる力を利用してセル３０を押圧するものである。この押圧部材２４は、設置台２０に対して回転可能に軸支されており、その自由端の一方がセル３０を押圧する押圧部３５となり、他方がカバー３の開閉に際して加えられた力を受ける作用部３６となるものである。具体的には、平板形状をなすとともに、その両端が互いに逆の方向を向くように折り曲げられた鉤形状をなし、一端が押圧部３５、他端が作用部３６となるものである。また、第１実施形態では、押圧部材２４は、バネ等の弾性部材によってブロック体２５側に向かって付勢されている。
【００３７】
連動部材２６は、カバー３の開閉に際して加えられる力を押圧部材２４に伝達するものである。この連動部材２６は、その一端が作用部３６に接触するとともに、一方向（第１実施形態では鉛直方向）に移動する例えば棒形状の押下部２８と、押下部２８の他端に設けられ、カバー３の回転により力を受ける例えば平面視円形状の受け部２７と、カバー３と受け部２７との間に生じる摩擦力を低減すべく、この間に介在する転動部材２９とを具備する。この転動部材２９は、回転軸に貫通した板材とこの板材の下端に設けられたローラーとで構成されている。なお、押下部２８は、設置台２０に固定された支持部材に設けられており、この支持部材は、押下部２８を鉛直方向に移動可能に支持するものである。
【００３８】
上述したように構成した光学分析装置１の動作について以下に説明する。
【００３９】
まず、ゼロ校正を行うために何も収容されていないセル３０をセル設置部５に設置する。このとき、カバー３がプッシュ式であるので、ユーザは片手で簡単にカバー３を開けることができるとともにセル３０をセル設置部５へ設置することができる。
【００４０】
セル３０をセル設置部５に設置する際に、カバー３が開けられると、転動部材２９が受け部２７の略中央部分に移動して鉛直下方向に受け部２７を押圧するので、受け部２７に接続された押下部２８が鉛直下方向に移動し、押下部２８がその下端に当接する押圧部材２４の作用部３６を押圧する。すると、押圧部材２４が回転し、押圧部材２４の上端がブロック体２５から離間する開位置に移動する。
【００４１】
押圧部材２４が開位置にある状態において、設置台２０上に設けられた第１収容体１３と第２収容体１９で区切られた空間２３にセル３０を設置する。このとき、ユーザはブロック体２５と押圧部材２４の間にセル３０を設置すればよく、ブロック体２５及び押圧部材２４が、セル３０を設置位置へと導くガイドとしての役割を果たすので、容易にセル３０を設置することができる。
【００４２】
また、セル３０のセル本体３１を設置する位置決め面が互いに対向する一対の第１傾斜面２１ａ、２１ｂで構成されているので、セル本体３１が第１傾斜面２１ａ、２１ｂと当接する２つの点又は面で接触して仮置きされる。このとき、セル本体３１の中心軸と、光射出部４の光軸とが一致するようにセル本体３１が位置決めされる。
【００４３】
この状態でユーザがカバー３を閉めると、転動部材２９が受け部２７と接触しなくなる。そのため、転動部材２９が受け部２７を鉛直下方向へ押圧する圧力がなくなるので、押下部２８が押圧部材２４の作用部３６を押す力もなくなり、押圧部材２４は図示しないバネの付勢力によって開位置のときとは逆方向に回転し、押圧部材２４がブロック体２５に向かってセル３０を押圧する閉位置に移動する。
【００４４】
押圧部材２４が閉位置に移動すると、突起部３１ａは一対の第２傾斜面３４ａ、３４ｂに対して押圧部材２４で押圧して固定される。突起部３１ａは、第２傾斜面３４ａ、３４ｂと接触する２点で仮置きされるので、押圧部材２４で押圧されるまでの間に位置ずれが生じることがない。そのため、ユーザの熟練度の関わらず、セル本体３１の中心軸と光射出部４の光軸とが一致する位置で、セル３０を確実に固定することができる。また、押圧部材２４がセル３０を押圧する位置とブロック体２５がセル３０を押圧する位置とが、高さ方向にほぼ同じとなるので、セル３０の周方向に働くモーメント力が釣り合い、セル３０が周方向に回転することを防ぐことができる。さらに、突起部３１ａに印を設けることによって、セル３０の向きを揃えることができるので、より一層再現性を高めて分析を行うことができる。
【００４５】
この状態において、光射出部４から赤外光がセル３０に照射され、セル３０を透過した光が分析機構６に入射してゼロ校正が行われる。
【００４６】
次に、本測定を行うために、ゼロ校正を行ったセル３０を共洗いした後に溶媒に試料を漬けて油分を抽出した液体試料をセル３０へ注入する。このときセル３０に突起部３１ａが設けられているので、突起部３１ａの断面積をセル本体３１の断面積よりも小さくすれば、液体試料を収容するセル本体３１の体積を突起部３１ａを設けていないセル本体の体積に比べて小さくすることができるので、少ない溶媒量でセル本体３１を満たすことができ、高価な溶媒を用いた液体試料が無駄になることがなく、コストを抑えることができる。
【００４７】
この後、セル３０をセル設置部５に設置する動作は、上述したゼロ校正時と同じであるので、ここでは説明を省略するが、押圧機構２２が突起部３１ａを押圧するので、セル本体３１を押圧機構２２で押圧する場合と比べて、セル本体３１にひずみ等が生じることを防ぐことができ、より精度よくセル３０を位置決めすることができる。
【００４８】
このとき、本測定においては光射出部４から射出される光によって液体試料の温度が上昇する。液体試料に沸点の低い溶媒が含まれている場合、溶媒が揮発して気体が発生するが、第１実施形態のセル３０には蓋３２にスリット３３が設けられているので、このスリット３３から気体を逃がすことができ、蓋３２が外れることを防ぐことができる。
また、セル３０に突起部３１ａが設けられているので、ユーザは突起部３１ａを持ってセル３０を移動させることができ、セル３０の側面に付着したユーザの指紋等によって測定精度が悪化することを防ぐことができる。
さらに突起部３１ａの一部に印を設けることによって、セル３０の向きを揃えることもでき、再現性をより一層高めて分析を行うことができる。
【００４９】
上述した第１実施形態の光学分析装置１は以下のような格別の効果を有する。
【００５０】
つまり、カバー３を閉めるだけで押圧機構２２によってセル３０の位置決めがされるので、ユーザの熟練度によらず位置決めを行うことができるとともに、分析装置本体２にセル設置部５を設けたので、カバー３を閉める間にセル設置部５に設置したセル３０がずれることを防いで、精度よくセル３０を位置決めすることができる。
【００５１】
また、光射出部４側に設けられた光射出窓１３ａと、光射出部４からの光が透過するセル３０の側面と、セル３０を透過した光が入射する分析機構６側の設けられた光入射窓１９ａの形状及び大きさを揃えることにより、光射出部４から射出される光を確実にセル３０に収容された液体試料に当てて分析を行うことができる。
【００５２】
さらに押圧機構２２が、セル３０とカバー３との間に介在する押圧部材２４と連動部材２６の複数の部材で構成されるので、セル３０を押圧する位置の自由度が広がり、所望の位置からセル３０を押圧することができるので、よりセルの位置ずれが起こり難い位置から押圧することができる。
【００５３】
なお、本発明は実施形態に限られたものではない。
【００５４】
第１実施形態の光学分析装置ではセルは円筒形状をなすものであったが、例えば図６（ａ）に示すように、セル１００の端面が多角体形状（図では矩形状）をなす筒状体であってもよい。この第２実施形態においては、図６（ｂ）に示すように、セル１００の側面の２面が設置台１０１に設けられた隣り合う２面であって傾斜する面１０１ａ、１０１ｂとそれぞれ当接して配置されるとともに、カバー１０２に設けられた突起で構成される押圧部材１０３がセル１００を傾斜面１０１ａ、１０１ｂに押圧することによって、セル１００を位置決めするように構成することができる。
【００５５】
第１実施形態の光学分析装置では、セルの側周面又は底面と接触する隣り合う２面又は２点と、該２面にセルを押圧する１点又は１面の合計３点又は３面で、セルを固定するものであったが、３点以上の点又は面であってもよい。
【００５６】
また、セルに突起部を設けなくてもよい。この一例である第３実施形態としては、セル２０１を一面が開口する筐体形状をなすセル本体とこのセル本体の開口を覆うように設けられた蓋とのみで構成するものが挙げられる。この場合、セル２０１を位置決めする方法としては、セル２０１を設置する設置台にセル２０１よりも大きい筐体形状の穴部２００を設け、この穴部２００にセル２０１を挿入して設置した際に、穴部２００に押圧部材２０３が挿通された押圧機構２０２を設け、扉の開閉に連動させて扉が閉まった状態において、穴部２００を構成する隣り合う側面２００ａ、２００ｂの２面にセル２０１の側面の２面を押圧してセル２０１を位置決めするように構成することができる。また、第３実施形態においては、緩衝部材を押圧部材２０３のセル２０１と当接する面に設けてもよい。
【００５７】
また、押圧機構が相対する２方向からセルの側周面を押圧するように構成してもよい。この一例である第４実施形態としては、図８に示すように、押圧機構３０２として、第１押圧部材３０２ａと第２押圧部材３０２ｂとを設置台３０１に互いに逆方向に回転可能となるように固定したものを挙げることができる。この押圧機構の動作としては、図示しないカバーの開閉動作に連動する連動部材３０３が鉛直方向に移動することによって、図９（ａ）に示すように、第１押圧部材３０２ａと第２押圧部材３０２ｂとが、互いに近接してセル３００を挟持する閉位置に移動するとともに、図９（ｂ）に示すように、第１押圧部材３０２ａと第２押圧部材３０２ｂとが離間してセル３００を取り出し可能な開位置に移動するものを挙げることができる。なお、第４実施形態において、セル３００は、その側周面が設置台３０１上に設けられた傾斜する隣り合う２面３０１ａ、３０１ｂと接触して仮置きされるとともに、閉位置において該仮置きされた位置に固定されるものである。
【００５８】
第１実施形態の光学分析装置では、同一のセルを用いて本測定とゼロ校正とを行うものであったが、２つのセルを用いて本測定とゼロ校正を行うものであってもよい。または、１つのセルを上半分と下半分とに分けて、上半分又は下半分をゼロ校正用に気体を封入するように構成してもよい。
【００５９】
蓋に設けられた気体抜き穴は、気体を逃がす構成であれば第１実施形態に限られたものではなく、例えば孔部を設けたようなものであってもよい。
【００６０】
また、第１実施形態では、蓋を閉めたときにバネの付勢力によって押圧部材が閉位置に移動するものであったが、バネの付勢方向を逆にして、蓋を開けたときにバネの付勢力によって押圧部材を開位置に移動させるようにしてもよい。
【００６１】
上述した実施形態では、光学分析装置が、光源に赤外領域の光を用いるとともに油分濃度を測定するものであったが、光を用いて、液体試料を分析するものであれば何でもよく、例えば、光源に紫外や可視光等の様々な波長領域の光を用いてもよいし、分光計や粒度分布測定を行うものであってもよい。
【００６２】
光の屈折は、液体試料の温度により屈折の度合いが変わり、またその屈折の度合いは、液体試料が水よりも有機溶媒の方が大きくなる。そのため、本発明の光学分析装置は、赤外波長領域の光を用いた分析装置、又は有機溶媒が含まれる液体試料を分析する分析装置に特に好適に用いることができる。
【００６３】
本発明は、その趣旨に反しない範囲で様々な変形が可能である。
【符号の説明】
【００６４】
１・・・光学分析装置
２・・・分析装置本体
３・・・カバー
５・・・セル設置部
２１・・押圧機構
３０・・セル
【図１】
2019144271.tif 000003
【図２】
2019144271.tif 000004
【図３】
2019144271.tif 000005
【図４】
2019144271.tif 000006
【図５】
2019144271.tif 000007
【図６】
2019144271.tif 000008
【図７】
2019144271.tif 000009
【図８】
2019144271.tif 000010
【図９】
2019144271.tif 000011